(57)【要約】【課題】  ジョブが実行された場合に機能紹介画面が表示されるとユーザにとっては煩わしいと感じてしまう場合がある。【解決手段】  ユーザからの入力に基づき処理装置の設定に関する変更を受け付ける受付手段と、前記処理装置の機能を紹介するための通知制御を行う通知制御手段と、を備え、前記通知制御手段は、前記受付手段が前記設定に関する変更を受け付けた場合に、前記変更後の設定において前記処理装置が提供可能であり、且つ利用度が所定の基準を満たさない機能を紹介するための通知を行うよう制御する。【選択図】  図３
2018086796.tif 000002
【特許請求の範囲】
【請求項１】
ユーザからの入力に基づき処理装置の設定に関する変更を受け付ける受付手段と、
前記処理装置の機能を紹介するための通知制御を行う通知制御手段と、
を備え、
前記通知制御手段は、前記受付手段が前記設定に関する変更を受け付けた場合に、前記変更後の設定において前記処理装置が提供可能であり、且つ利用度が所定の基準を満たさない機能を紹介するための通知を行うよう制御することを特徴とする制御装置。
【請求項２】
前記受付手段による前記設定に関する変更の受付回数が第１閾値以上か判定する第１判定手段を備え、
前記通知制御手段は、前記受付手段が前記設定に関する変更を受け付けた場合において、前記第１判定手段により前記受付回数が前記第１閾値以上と判定された場合は前記通知を行い、前記第１判定手段により前記受付回数が前記第１閾値より少ないと判定された場合には前記通知を行わないよう制御することを特徴とする請求項１に記載の制御装置。
【請求項３】
前記受付回数をカウントする第１カウント手段を備え、
前記第１カウント手段は、前記通知制御手段により前記通知がなされる度に、前記受付回数をリセットすることを特徴とする請求項１又は２に記載の制御装置。
【請求項４】
前記通知制御手段により通知された通知回数が第２閾値より少ない機能か判定する第２判定手段を備え、
前記通知制御手段は、前記受付手段が前記設定に関する変更を受け付けた場合に、前記第２判定手段により前記通知回数が前記第２閾値より少ないと判定された機能は前記通知を行い、前記第２判定手段により前記通知回数が前記第２閾値以上と判定された機能は前記通知を行わないよう制御することを特徴とする請求項１乃至３のいずれか１項に記載の制御装置。
【請求項５】
前記通知回数をカウントする第２カウント手段を備え、
前記第２カウント手段は、前記通知回数をリセット可能であることを特徴とする請求項４に記載の制御装置。
【請求項６】
前記利用度が前記所定の基準を満たさないかの判断として利用回数が第３閾値より少ないか判定する第３判定手段を備え、
前記通知制御手段は、前記受付手段が前記設定に関する変更を受け付けた場合に、前記第３判定手段により前記利用回数が前記第３閾値より少ないと判定された機能は前記通知を行い、前記第３判定手段により前記利用回数が前記第３閾値以上と判定された機能は前記通知を行わないよう制御することを特徴とする請求項１乃至５のいずれか１項に記載の制御装置。
【請求項７】
前記処理装置の各設定と、各設定においてそれぞれ提供可能な機能と、が紐付けて記憶されており、
前記通知制御手段は、前記受付手段が前記設定に関する変更を受け付けた場合、前記変更後の設定に紐付けされた機能を通知することを特徴とする請求項１乃至６のいずれか１項に記載の制御装置。
【請求項８】
前記通知制御手段は、前記機能を紹介するコンテンツを表示部に表示させることにより前記通知を行うことを特徴とする請求項１乃至７のいずれか１項に記載の制御装置。
【請求項９】
前記通知制御手段は、前記機能の設定画面又は前記機能の詳細説明画面へ遷移するためのアイテムを前記コンテンツと共に表示することを特徴とする請求項８に記載の制御装置。
【請求項１０】
前記処理装置は前記制御装置を含み、
前記通知制御手段は、前記処理装置の表示部に前記機能を紹介するコンテンツを表示させることにより前記通知を行うことを特徴とする請求項８又は９に記載の制御装置。
【請求項１１】
前記通知制御手段は、前記処理装置と通信可能な装置の表示部に前記機能を紹介するコンテンツを表示させることにより前記通知を行うことを特徴とする請求項８又は９に記載の制御装置。
【請求項１２】
前記変更後の設定において前記処理装置が提供可能な機能が複数存在する場合、
前記通知制御手段は、予め設定された優先度に応じて、優先度の高い機能を通知するよう制御することを特徴とする請求項１乃至１１のいずれか１項に記載の制御装置。
【請求項１３】
請求項１乃至１２のいずれか１項に記載の制御装置の各手段としてコンピュータを機能させるためのプログラム。
【請求項１４】
請求項１乃至１２のいずれか１項に記載の制御装置と、
被記録媒体へ画像を印刷する印刷部と、を備える処理装置。
【請求項１５】
ユーザからの入力に基づき処理装置の設定に関する変更を受け付ける受付工程と、
前記処理装置の機能を紹介するための通知制御を行う通知制御工程と、
を備え、
前記通知制御工程において、前記受付工程で前記設定に関する変更を受け付けた場合に、前記変更後の設定において前記処理装置が提供可能であり、且つ利用度が所定の基準を満たさない機能を紹介するための通知を行うよう制御することを特徴とする制御方法。
【請求項１６】
前記受付工程における前記設定に関する変更の受付回数が第１閾値以上か判定する第１判定工程を備え、
前記通知制御工程では、前記受付工程で前記設定に関する変更を受け付けた場合において、前記第１判定工程により前記受付回数が前記第１閾値以上と判定された場合は前記通知を行い、前記第１判定工程により前記受付回数が前記第１閾値より少ないと判定された場合には前記通知を行わないよう制御することを特徴とする請求項１５に記載の制御方法。
【請求項１７】
前記通知制御工程において通知された通知回数が第２閾値より少ない機能か判定する第２判定工程を備え、
前記通知制御工程では、前記受付工程で前記設定に関する変更を受け付けた場合に、前記第２判定工程により前記通知回数が前記第２閾値より少ないと判定された機能は前記通知を行い、前記第２判定工程により前記通知回数が前記第２閾値以上と判定された機能は前記通知を行わないよう制御することを特徴とする請求項１５又は１６に記載の制御方法。
【請求項１８】
前記利用度が前記所定の基準を満たすかの判断として利用回数が第３閾値より少ないか判定する第３判定工程を備え、
前記通知制御工程では、前記受付工程で前記設定に関する変更を受け付けた場合に、前記第３判定工程により前記利用回数が前記第３閾値より少ないと判定された機能は前記通知を行い、前記第３判定工程により前記利用回数が前記第３閾値以上と判定された機能は前記通知を行わないよう制御することを特徴とする請求項１５乃至１７のいずれか１項に記載の制御方法。
【請求項１９】
前記処理装置の各設定と、各設定においてそれぞれ提供可能な機能と、が紐付けて記憶されており、
前記通知制御工程では、前記受付工程で前記設定に関する変更を受け付けた場合、前記変更後の設定に紐付けされた機能を通知することを特徴とする請求項１５乃至１８のいずれか１項に記載の制御方法。
【請求項２０】
前記通知制御工程では、前記機能を紹介するコンテンツを表示部に表示させることにより前記通知を行うことを特徴とする請求項１５乃至１９のいずれか１項に記載の制御方法。
【請求項２１】
前記通知制御工程では、前記処理装置の表示部に前記機能を紹介するコンテンツを表示させることにより前記通知を行うことを特徴とする請求項２０に記載の制御方法。
【請求項２２】
前記通知制御工程では、前記処理装置と通信可能な外部装置の表示部に前記機能を紹介するコンテンツを表示させることにより前記通知を行うことを特徴とする請求項２０に記載の制御方法。
【発明の詳細な説明】
【技術分野】
【０００１】
本発明は、制御装置、制御方法、プログラム及び処理装置に関する。
【背景技術】
【０００２】
近年、画像形成装置としての印刷装置や複合機には様々な機能が搭載されている。しかしながら、ユーザは、基本的な機能、例えばパソコンから印刷やコピーなどの機能のみを使用し、装置の全ての機能を認知していない現状がある。そこで特許文献１では、印刷ジョブと機能とを関連付け、印刷ジョブを実行した場合にはそれに関連した機能の中から使用頻度の少ない機能があれば該当する機能の情報を表示する方法が提案されている。また、特許文献２では、印刷ジョブが実行されるとそのジョブの条件から同等の結果が得られる機能の組み合わせを表示する方法が提案されている。
【先行技術文献】
【特許文献】
【０００３】
【特許文献１】特開２０１３−６８９８８号公報
【特許文献２】特許５６４９０８７号公報明細書
【発明の概要】
【発明が解決しようとする課題】
【０００４】
しかしながら、特許文献１、２の方法では、印刷ジョブが実行された場合に条件を満たせば機能紹介画面が表示されてしまうためユーザにとっては煩わしいと感じてしまう可能性がある。そこで本発明は、ユーザにとって適切なタイミングで機能を紹介する通知を行う技術を提供することを目的とする。
【課題を解決するための手段】
【０００５】
本発明の制御装置は、ユーザからの入力に基づき処理装置の設定に関する変更を受け付ける受付手段と、前記処理装置の機能を紹介するための通知制御を行う通知制御手段と、を備え、前記通知制御手段は、前記受付手段が前記設定に関する変更を受け付けた場合に、前記変更後の設定において前記処理装置が提供可能であり、且つ利用度が所定の基準を満たさない機能を紹介するための通知を行うよう制御する。
【発明の効果】
【０００６】
本発明は、装置の設定が変更された場合に、関連する機能を通知することができるため、ユーザにとってより適切なタイミングで通知を行うことが可能となる。
【図面の簡単な説明】
【０００７】
【図１】本発明の実施形態に関わる印刷装置１００の外観を示す模式図である。
【図２】本発明の実施形態に関わる印刷装置１００の機能ブロック図である。
【図３】本発明の実施形態に関わる印刷装置１００の制御フローの一例である。
【図４】本発明の実施形態に関わる印刷装置１００の設定画面の一例である
【図５】本発明の実施形態に関わる印刷装置１００の機能紹介画面の一例である
【図６】本発明の実施形態に関わる印刷装置１００のホーム画面の一例である
【図７】本発明の実施形態に関わる印刷装置１００の設定項目とその紹介条件の対応関係の一例である。
【図８】本発明の実施形態に関わる印刷装置１００の機能使用履歴情報の一例である。
【図９】本発明の実施形態に関わる印刷装置１００の設定変更履歴情報の一例である。
【図１０】本発明の実施形態に関わる印刷装置１００の機能紹介画面の一例である。
【発明を実施するための形態】
【０００８】
以下に、図面を参照しながら、本発明の一実施形態を説明する。なお、この実施形態に記載されている構成要素の内容や相対配置などは、特定的な記載がない限りは、この発明の範囲をそれらのみに限定する趣旨のものではない。また、以下の実施形態では、処理装置として、印刷機能及び画像読み取り機能を有する印刷装置（画像形成装置）の例を用いて説明するが、本発明はこれに限定されるものではない。印刷機能だけを備える印刷装置でもよい。また、印刷方式は、インクジェット方式による画像の印刷だけでなく、記録剤として固形インクを用いてもよいし、トナーを用いた電子写真方式や昇華方式など数々のものを採用可能である。
【０００９】
さらに、画像形成装置だけでなく、画像読取機能だけを備える処理装置でもよい。また、プロジェクタのような画像を投影する処理装置でもよく、スマートフォンやタブレット端末等の携帯端末やデジタルカメラ等のような所定の処理を行う処理装置にも適用可能である。
【００１０】
さらに、以下の実施形態では、本発明の制御装置が処理装置内に含まれる例を説明するが、本発明はこれに限定されるものではない。制御装置は処理装置と通信可能な異なる装置であってもよい。
【００１１】
＜装置の構成＞
図１は、本発明の一実施形態である印刷装置１００の外観を表した模式図であり、図１（ａ）は斜視図、図１（ｂ）は上面図である。図１において、原稿台１０１はガラス状の透明な台であり、原稿をのせてスキャナで読み取る時に使用する。原稿蓋１０２はスキャナで読み取りを行う際に読取光が外部に漏れないようにするための蓋である。印刷用紙挿入口１０３は被記録媒体として様々なサイズの用紙をセットする挿入口である。ここにセットされた用紙は一枚ずつ印刷部に搬送され、印刷部内のプリントヘッドにより画像の印刷が行なわれ、印刷用紙排出口１０４から排出される。
【００１２】
印刷用紙の別の供給手段として、第１カセット１０５と第２カセット１０６がある。例えばＡ３の用紙を第１カセット１０５にセットし、Ａ４の用紙を第２カセット１０６にセットしておくと、ユーザは印刷装置１００のそばに行って用紙を変更すること無く、Ａ３とＡ４用紙のジョブを実行することができる。
【００１３】
原稿蓋１０２の手前には、操作表示部１０７およびＮＦＣ（Ｎｅａｒ  Ｆｉｅｌｄ  Ｃｏｍｍｕｎｉｃａｔｉｏｎ）タッチ部１０８が配置されている。
【００１４】
操作表示部１０７は、ＣＰＵ２０１（図２参照）の制御により、後述する機能紹介コンテンツ、設定変更メニュー、履歴リセットメニュー、印刷装置１００の動作状況等を示すコンテンツを表示することができる。また、表示部上のカーソール移動などに用いる十字キー、様々な操作を実行する為のアイテムなども表示可能である。また、本実施形態の操作表示部１０７は、表示部と操作部を兼ねており、タッチパネルセンサを備える。タッチパネルセンサにより、指や導電性の媒体などの接触や接近により生ずる静電容量の変化を検出することにより、タッチ操作の有無及びタッチされた位置を検出することができる。また、ユーザがディスプレイの表面を触る「タッチ操作」だけでなく、タッチした指を動かさずに離す「タップ操作」、タッチした指を移動させる「ドラッグ操作」や「スクロール操作」等も検出される。これにより、ユーザからの指示や操作等の入力を受け付けることができる。タッチパネルは、静電容量式だけでなく、光学式や圧電式のパネルでもよい。なお、表示部がセンサ機能を備えていないＬＣＤ等のディスプレイの場合、ボタン等の操作部を別途に設けるとよい。
【００１５】
ＮＦＣタッチ部１０８は、ＮＦＣ通信能力を持つスマートフォン等の端末を、通信の際に近接させる場所である。約１０ｃｍの距離に端末を近接させることで通信を行うことができる。
【００１６】
図２は、印刷装置１００の概略構成を示す機能ブロック図である。ＣＰＵ（中央演算処理部）２０１は、システム制御部であり、印刷装置１００の全体を制御する。後述する機能紹介に係る制御もＣＰＵ２０１で行われる。ＲＯＭ２０２は、ＣＰＵ２０１が実行する制御プログラムや組み込みオペレーティングシステム（ＯＳ）プログラム等を格納する記憶部である。本実施形態で実行される機能紹介のための制御プログラム及び紹介条件の対応関係を表すテーブル、機能紹介の表示画面等も、ＲＯＭ２０２に格納されている。
【００１７】
ＲＡＭ２０３は、ＳＲＡＭ（ｓｔａｔｉｃ  ＲＡＭ）等で構成される記憶部であり、プログラム制御変数等を格納し、各種ワーク用バッファ領域が設けられている。
【００１８】
不揮発性メモリ２０４は、フラッシュメモリ（ｆｌａｓｈ  ｍｅｍｏｒｙ）等で構成され、電源がオフされた時でも保持していたいデータを格納する。具体的には、ＦＡＸの電話番号、通信履歴、ネットワーク情報などのユーザデータ、後述する機能使用履歴情報、設定変更履歴情報、設定変更回数のカウントをリセットするモードの状態等の情報が記憶される。
【００１９】
画像メモリ２０５は、ＤＲＡＭ（ｄｙｎａｍｉｃ  ＲＡＭ）等で構成され、各通信ユニットを介して受信した画像データや、符号復号化処理部２１１で処理した画像データなどを蓄積する。このようなメモリ構成はこれに限定されるものではない。データ変換部２０６は、ページ記述言語（ＰＤＬ）等の解析や、画像データからプリントデータへの変換などを行う。符号復号化処理部２１１は、印刷装置１００で扱う画像データ（ＪＰＥＧ、ＰＮＧ等）の符号復号化処理や、拡大縮小処理を行う。
【００２０】
読取制御部２０７は、読取部２０９の制御を行う。読取部２０９は、ＣＩＳイメージセンサ（密着型イメージセンサ）を備え、ＣＩＳイメージセンサが原稿からの反射光を受信し電気信号に変換することにより画像を読み取る。読取部２０９より出力された電気信号（電気的な画像データに変換した画像信号）は、図示しない画像処理制御部を介して、２値化処理や中間調処理等の各種画像処理が施され、高精細な画像データとして出力される。
【００２１】
操作部２０８、表示部２１０は、図１で説明した操作表示部１０７を表している。例えば、図３等で後述する装置設定変更に係る操作や、図９で示すような設定変更回数のカウントを無効にするモードの設定等に使用することができる。
【００２２】
給紙部２１２は、印刷のための用紙を保持する事ができる保持部である。具体的には、図１で説明した印刷用紙挿入口１０３、第１カセット１０５、第２カセット１０６などを総称している。記録制御部２１４が給紙部２１２を制御する。記録制御部２１４から給紙部２１２へ給紙の指示を行うことにより給紙される。また給紙部２１２が複数ある場合は、記録制御部２１４によりどの給紙部から給紙を行うかの制御を行うことができる。
【００２３】
記録制御部２１４は、印刷される画像データに対し、図示しない画像処理制御部を介して、スムージング処理や記録濃度補正処理、色補正等の各種画像処理を施し、高精細な画像データに変換し、記録部２１３に出力する。また、記録制御部２１４は印刷部の情報を定期的に読みだしてＲＡＭ２０３の情報を更新する役割も果たす。具体的にはインクタンクの残量やプリントヘッドの状態などを更新することである。
【００２４】
ＵＳＢデバイス制御部２１５は、ＵＳＢ通信規格で定められたプロトコルでＵＳＢインターフェースと通信を行う為の制御部である。ＵＳＢ通信規格は、双方向のデータ通信を高速に行うことが出来る規格であり、１台のホスト（マスター）に対し、複数のハブまたはデバイス（スレーブ）を接続することが出来る。ＵＳＢデバイス制御部２１５はＵＳＢ通信におけるデバイスの機能を有する。一方、ＵＳＢホスト制御部２１７はホストの機能を有する。
【００２５】
印刷装置１００には無線通信するための手段が２つ搭載されており、ＷＬＡＮ（Ｗｉｒｅｌｅｓｓ  ＬＡＮ）、ＮＦＣ等で無線通信することができる。ＷＬＡＮユニット２１６、ＮＦＣユニット２１８は携帯端末などの他デバイスとのデータ通信を行う通信部である。データをパケットに変換し、他デバイスにパケット送信を行う。逆に、外部の他デバイスからのパケットを、データに変換してＣＰＵ２０１に対して送信する。ＷＬＡＮユニット２１６、ＮＦＣユニット２１８は規格に準拠した通信を実現するためのユニットである。なお、通信規格としてＢｌｕｅｔｏｏｔｈ（登録商標）  Ｌｏｗ  Ｅｎｅｒｇｙ（ＢＬＥ）を採用したＢＬＥユニットを備えていてもよい。
【００２６】
図２に示す上記構成要素２０２〜２１８は、ＣＰＵ２０１が管理するシステムバス２２１を介して、相互に接続されている。
【００２７】
＜制御フロー＞
次に、図３を用いて本実施形態の機能紹介に関するＣＰＵ２０１の制御フローを説明する。図３は、本実施形態に関わる印刷装置１００の機能紹介を行うための制御フローを示す。図３のフローでは、印刷装置の設定が変更された場合のみ、変更後の設定において提供可能な機能であり且つ利用回数が少ない機能を紹介するための通知を行う。これにより、ユーザによる装置の使用状況や環境が変わったときに通知されるため、機能紹介の表示タイミングが、ユーザにとってより適切なタイミングとなる。以下に具体的な通知制御フローを示す。
【００２８】
まず、印刷装置１００の操作表示部１０７を介してユーザより設定を変更する入力が実行されると、ＣＰＵ２０１はユーザからの入力に基づき、設定に関する変更指示を受け付ける（Ｓ３０１）。
【００２９】
具体例として操作表示部１０７に表示される設定画面を図４に示す。図４（ａ）は、ＬＡＮ設定を変更する場合に表示される画面であり、例えばユーザによりＬＡＮを有効にするボタン（アイテム）が指定されることで、ＬＡＮ有効の設定変更が受け付けられる。
【００３０】
図４（ｂ）は、用紙供給後にカセット１０５又はカセット１０６が挿入された際に表示される用紙設定画面である。この設定画面においてユーザがカセット用紙サイズとカセット用紙種類をプルダウンで選択することにより、用紙の情報が変更される。このようなユーザの設定入力により、ＣＰＵ２０１は設定変更を受け付ける。
【００３１】
次に、Ｓ３０２では、印刷装置１００の設定変更に基づき、ＣＰＵ２０１は不揮発性メモリ２０４に設定変更後の情報を書き込み、不揮発性情報を更新する。
【００３２】
Ｓ３０３では、ＣＰＵ２０１は、ＲＡＭ２０３に保存されている変更後の設定と紹介可能な機能との対応関係を示すテーブル（図７参照）内を検索し、変更後の設定情報（設定値）がテーブル内に存在するかどうかを判定する。図７は、印刷装置１００の各設定と各設定においてそれぞれ提供可能な機能とが紐付けられたテーブルの一例である。このテーブルによって、ＣＰＵ２０１は設定変更がある度にどの紹介機能と関連付けられているかが分かる。
【００３３】
例えば、無線ＬＡＮを有効に変更した場合、図７において、「変更後の設定値」の項目内に「無線ＬＡＮ有効」があるため、変更後の設定情報がテーブル内に存在すると判定される。なお、図７において、「無線ＬＡＮ有効」の場合、「紹介機能」として「スマホ印刷」、「スマホスキャン」、「Ｓｃａｎ  ｔｏ  Ｅ−ｍａｉｌ」の各機能が紐付けられていることが分かる。
【００３４】
変更後の設定値がテーブル内に見つからなかった場合（Ｓ３０３においてＮｏの場合）は、本フローを終了する。一方、前記変更後の設定値がテーブルの中に存在する場合（Ｓ３０３においてＹＥＳの場合）には、Ｓ３０４のステップに進む。
【００３５】
Ｓ３０４では、ＣＰＵ２０１は、設定変更された回数が閾値以上であるかを設定変更の履歴情報テーブル（図９参照）に基づき判定する。ＣＰＵ２０１は、設定変更を受け付けた回数をカウントしている。
【００３６】
例えば、無線ＬＡＮ有効に変更した場合、図９における「無線ＬＡＮ有効」の場合の「設定項目の変更回数カウンタ」の値は「１」であることから、無線ＬＡＮを有効に変更した回数は１回であることが分かる。これは、今回初めて無線ＬＡＮを有効に設定したことを示す。そして、図９において「無線ＬＡＮ有効」の場合の「閾値（設定）」は「１」となっているため、この場合、Ｓ３０４で、設定変更の受付回数は閾値以上であると判定される。なお、例えばカセット用紙サイズをＡ４に変更した場合は、「設定項目の変更回数カウンタ」の値は「４」であり、「閾値（設定）」は「５」である。この場合は、まだ閾値に達していないと判定される。つまりこのような場合は設定変更回数が少ないため、まだ通知条件は満たされていないものとみなされる。
【００３７】
この設定変更の受付回数が所定の閾値より少ない場合（Ｓ３０４においてＮｏの場合）は本フローを終了する。一方、設定変更の受付回数が所定の閾値以上である場合（Ｓ３０４においてＹＥＳの場合）は、Ｓ３０５のステップに進む。
【００３８】
Ｓ３０５では、ＣＰＵ２０１は、変更後の設定と紹介可能な機能との対応関係を示すテーブル（図７参照）内において変更後の設定値に紐付いている機能が、過去に表示されていないかどうかを、機能の使用履歴情報テーブル（図８）に基づき判定する。ＣＰＵ２０１は、過去に表示された回数をカウントしており、図８のテーブルにおいて「表示有無」が「ＮＯ」であれば、まだ表示されたことがなく、「表示有無」が「ＹＥＳ」であれば過去に表示されたことがあると判定する。
【００３９】
なお、本実施形態では、さらに同じステップＳ３０５において、ＣＰＵ２０１は紹介可能な機能の利用回数が閾値以下か判定する。これは、ユーザにより過去に多く利用されている機能のであれば紹介する必要がないためである。つまり、本実施形態では利用回数が所定の基準を満たさない機能のみが表示され得る。
【００４０】
例えば、無線ＬＡＮを有効に変更した場合、図７のテーブルにおいて「無線ＬＡＮ有効」に紐付けられている「スマホ印刷」は、図８において、「表示有無」が「ＮＯ」である。これは、今までに「スマホ印刷」の機能紹介は表示されていないことを示す。よって、この場合、ＣＰＵ２０１は、変更後の設定値に紐付いている機能は、過去に表示されていないと判定する。また、同じく図８において、「スマホ印刷」の機能の「機能使用回数カウンタ」は「１」となっている。これは、今までにスマホ印刷機能をユーザが１回使用したことがあることを示している。そして、図８において「スマホ印刷」機能の「閾値（機能）」は「２」となっているため、この場合、ＣＰＵ２０１は、変更後の設定値に紐付いている機能の利用回数は閾値以下であると判定する。なお「スマホ印刷」とは、スマートフォンからＰＣにデータを移すことなく、スマートフォンから直接プリンタに印刷指示を行って印刷することができる機能である。
【００４１】
一方、免許等の証明書両面を一枚にコピーするための「ＩＤコピー」機能は、「表示有無」が「ＹＥＳ」であり、「機能使用回数カウンタ」が「５」である。つまりＩＤコピーの機能は、機能紹介画面は過去に表示されたことがあり、且つ、機能使用回数も閾値「２」より高いと判定される。
【００４２】
このＳ３０５により、今まで機能紹介画面が表示されておらず、且つ、利用回数が閾値より少ない機能と判定された場合（Ｓ３０５においてＹＥＳ）は、Ｓ３０７に進む。一方、今までに機能紹介画面が表示されたことがある、もしくは利用回数が閾値以上である、と判定された場合（Ｓ３０５においてＮＯ）は、Ｓ３０６に進む。このＳ３０５の判定により、何度も同じ機能が紹介されることを防ぎ、且つ、ユーザの利用頻度が少ない機能だけを抽出することが可能となる。なお、本実施形態では、Ｓ３０５において、過去の表示有無の判定と利用回数の判定とを１つのステップにて実行しているが、ステップを２つに分けてもよい。
【００４３】
Ｓ３０７では、Ｓ３０３〜Ｓ３０５により選ばれた、設定変更に関連した機能についての紹介画面を表示する。
【００４４】
図５に印刷装置１００の操作表示部１０７に表示される紹介画面の一例を示す。図５（ａ）は、無線ＬＡＮを有効に設定した場合に表示される、「スマホ印刷」機能の紹介画面を示す。これにより、ユーザは無線ＬＡＮの環境下においてスマートフォンから直接印刷できることが認識できる。図５（ｂ）は、印刷装置１００のカセット用紙サイズを設定した場合等に表示される「手書きナビ」機能の紹介画面を示す。これにより、ユーザは、手書きで描いた絵を写真に合成することができる機能があることを認識できる。
【００４５】
一方、Ｓ３０６では、Ｓ３０５により過去に機能紹介画面が表示されたことがある、もしくは利用回数が閾値以上であると判定された場合において、ＣＰＵ２０１は図７のテーブルを参照し、次の優先度の紹介機能が存在するかを判定する。
【００４６】
例えば、無線ＬＡＮを有効に変更したケースを例に説明する。Ｓ３０５の最初の判定では、図７のテーブルにおいて、紹介機能の中で優先度が最も高い「スマホ印刷」が第一候補として選択され、通知条件を満たすか（表示有無及び利用回数）の判定が行われる。ここで、仮に「スマホ印刷」機能が、過去に表示されたことがある、又は、ユーザにより閾値以上使われたことがある、と判定されたとする（Ｓ３０５におけるＮＯ）。すると、Ｓ３０６では、ＣＰＵ２０１は図７のテーブルを参照し、次に優先度の高い機能があるかを判定する。図７では、「スマホ印刷」機能の次の優先度（優先度２）として「スマホスキャン」が存在する。よって、Ｓ３０６においてＹＥＳと判定され、再度Ｓ３０５のステップに戻る。２回目のＳ３０５では、「スマホスキャン」機能について、図８を参照し通知条件を満たすか（表示有無及び利用回数）の判定が行なわれる。このように、次の優先度の紹介機能がある場合は、Ｓ３０５の判定を繰り返す。
【００４７】
これは、紹介条件の定義やユーザの使い方によっては、設定変更が行われた結果、複数の通知条件を満たしてしまう場合が考えられる。そこで、本実施形態では、図７のように機能に優先度をつけることにより、優先度の高い機能から順に通知条件の判定を行うことができる。そして通知条件を満たした機能のうち優先度が高い機能を紹介することができる。また、通知条件の判定は設定変更毎に行なわれるため、最初に選択されなかった機能は次に同じ設定変更が実行されたタイミングで紹介することができる。Ｓ３０６において優先度順に検索して該当する紹介機能がない場合は本フローを終了する。
【００４８】
なお、別のケースとして、例えばユーザによりカセットが挿入され、カセット用紙サイズがＬ判に設定されたケースにおいては、一度目のＳ３０６の判定でＮＯと判定されるため、そのままフローを終了する。これは、図７のテーブルにおいて、「設定項目」は「カセット用紙サイズ設定」、「変更後の設定値」は「Ｌ判」となり、「紹介機能」としては、「手書きナビ」機能の１つしかないためである。つまり、「手書きナビ」がＳ３０５において通知条件を満たさなかった場合、今回の設定変更に伴う紹介画面は表示されない。
【００４９】
Ｓ３０８では、最後に、図８の機能の使用履歴情報テーブルにおける、「表示有無」を更新すると共に、図９の設定変更の履歴情報テーブルにおける「設定の変更回数カウンタ」をリセットする。「表示有無」を「ＮＯ」から「ＹＥＳ」に変更することにより、１度表示された同じ機能紹介画面が何度も表示されることを防ぐことができる。また、「設定の変更回数カウンタ」の値を「０」にすることにより、設定変更の度に毎回、何かしらの機能紹介が表示されることを防ぐことができる。
【００５０】
以上、説明したように、本実施形態では、ユーザにより印刷装置１００の設定に関する変更がなされた場合に、変更後の設定に関連し印刷装置１００が提供可能な機能であり、且つ、ユーザの利用度が少ない機能の紹介を行うことができる。これにより、印刷指示により印刷ジョブが実行された際に機能紹介するケースと異なり、ユーザによる装置の使用状況や環境が変わったときに通知されるようになるため、紹介タイミングが、ユーザにとってより適切なタイミングとなる。
【００５１】
なお、図３のフローは好適な例を示しているため、Ｓ３０４により設定変更の回数が閾値以上か判定しているが、本実施形態としては、設定変更の回数判定を省略することも可能である。つまり、毎回設定変更の度に機能紹介の通知を行っても良い。また、Ｓ３０５において、表示有無を判定している（つまり、通知回数判定の閾値を１に設定している）が、表示判定の閾値は、１に限らず、所定の閾値を設定しても良い。つまり、一度紹介された機能を何度か紹介するよう設定することも可能である。さらには、表示判定を省略することも可能である。なお、表示回数判定の閾値を１とした場合においても、定期的に表示有無及び利用回数のリセット可能にしてもよい。操作表示部１０７にリセットメニューを表示させてユーザ選択できるようにしてもよい。
【００５２】
＜設定変更の変形例＞
図４では、印刷装置１００の操作表示部１０７に設定画面が表示されることにより、ユーザが設定変更する例を示した。図４（ａ）の設定画面は、図６に示すように、印刷装置１００の操作表示部１０７に表示されるホーム画面から、設定画面に移行するためのアイテムを選択することにより、移行される。また、図４（ｂ）の設定画面は、カセットを挿入すると自動で表示される。ただし、このような設定変更の方法だけでなく、別の方式により設定変更が行われても良い。
【００５３】
具体的には、印刷装置１００と通信可能なスマートフォンやＰＣ等の装置から、リモートＵＩ機能で印刷装置１００の設定を変更することができる。リモートＵＩ機能は、スマートフォンやＰＣからＷｅｂブラウザを使用してネットワークを経由することで印刷装置１００にアクセスすることができる。よって、印刷装置１００を直接操作せずに印刷装置１００の設定や操作を行うことができる。この場合、設定画面はユーザのスマートフォンやＰＣ等の装置の表示部に表示される。ユーザは、この装置の表示部に表示された設定画面を介して、印刷装置１００の設定変更を行うことができる。なお、このような場合、スマートフォンやＰＣ等が備えるコンピュータ（ＣＰＵやＭＰＵ等）やメモリを用いて図３のフローを実行してもよい。つまり、印刷装置１００とは別の装置に、図３の制御を行う制御装置の機能を持たせてもよい。
【００５４】
＜機能紹介の通知に関する変形例＞
図５では、操作表示部１０７の画面が、機能紹介の画面に切り替わる例を示しているが、別の表示方式でもよい。例えば、機能を紹介するポップアップ通知が操作表示部１０７の一部に表示されてもよく、単に機能を紹介する文字列だけを表示してもよい。また、インフォメーションボタンのように、簡易なアイテムを表示することにより紹介可能な機能があることを通知しても良い。つまり、機能紹介画面、ポップアップ、文字列、アイテム等、機能を紹介するためのコンテンツが表示されればどのような表示でもよい。さらには、通知形式は表示に限らず、音声による通知でもよい。
【００５５】
また、図３の制御フローでは、優先度に基づいて紹介機能が判定されていたが、ランダムに紹介機能が選択される構成でもよい。また通知条件を満たすものを全て一度に通知してもよい。
【００５６】
また、図５の機能紹介画面では、その紹介画面を閉じるためのボタン（アイテム）が設けられているが、「閉じる」ボタン以外のアイテムを設けても良い。図１０は、図５（ａ）の変形例であり、無線ＬＡＮ有効時に表示される「スマホ印刷」機能の紹介画面を示す。図５（ａ）の場合、機能が紹介された後に、「閉じる」ボタンを指定することにより、機能紹介画面をそのまま閉じる構成となる。しかし、このままでは利用していない機能の存在を認知することができても、紹介された機能の利用方法が分からない可能性がある。そこで、図１０では機能紹介画面の中に紹介している機能の設定操作を行う画面へと遷移する「設定画面へ」ボタンを設けている。ユーザによりこのボタンが押されると「スマホ印刷」を設定可能とするための設定画面へ遷移する構成になっている。
【００５７】
なお、設定画面へ遷移するアイテムだけでなく、機能が実行される画面に遷移するアイテムや、機能の詳細説明画面へ遷移するアイテムを、機能紹介のコンテンツと共に設けてもよい。さらに、今回の紹介画面と同じ紹介画面は次回以降表示しないよう設定可能なアイテムを表示してもよい。このアイテムをユーザが押下することにより、次回以降に同様の設定変更が新たになされたとしても、同じ紹介画面は表示されない。また、これらのアイテムを「閉じる」アイテムと共に並列表示しても良い。
【００５８】
また、上記は、全て印刷装置１００の操作表示部１０７に表示される構成であるが、ユーザがスマートフォンやＰＣ等の外部装置からリモートＵＩ機能で設定変更を行った場合は、使用したスマートフォンやＰＣの表示部に機能紹介画面が表示されるとよい。このように、ユーザが設定変更の操作を行った外部装置に機能紹介が通知されることにより、ユーザは設定変更に伴い、機能を適切なタイミングで認識することができる。
【００５９】
＜機能の利用度の変形例＞
図８は、上述したとおり、印刷装置１００の機能の使用履歴情報を示す一例である。それぞれの機能の使用回数と閾値に関する情報が登録されている。紹介機能の利用度については、機能の使用回数が閾値より少ない場合に利用度が低いと判断される。使用回数が閾値以上の場合は利用度が高いと判断され、機能紹介画面は表示されない。
【００６０】
しかしながら、本実施形態では機能の利用度の基準として、利用回数の閾値判定以外の基準を設けてもよい。例えば、複数の機能のうち利用回数が一番低い機能を利用度が所定の基準を満たしていないと判定してもよい。また、最終利用履歴からの期間を基準としてもよい。つまり、最後に利用してからの期間が所定の期間経過したものについては、利用度が所定の基準を満たしていないと判定してもよい。また、複数存在する機能のうち最後に利用してからの期間が最も長い機能を利用度が所定の基準を満たしていないと判定してもよい。また、基準は、機能ごとに異なる基準としても良い。このように、基準を機能ごとに可変にする事により、よく変更が行われる設定とほとんど変更が行われない設定とで設定変更の事情が違う場合でも、装置で対応が可能となる。
【００６１】
また、利用度が期間によって異なる機能の場合、利用度を期間で判定してもよい。つまり特定の期間であれば、利用度は所定の基準を満たさないと判定し、特定の期間外であれば、利用度は所定の基準を満たすと判定してもよい。
【００６２】
＜設定変更回数の閾値の設定＞
図９は、上述したとおり、印刷装置１００の設定変更の履歴情報の一例である。本履歴情報は表示タイミングをより適切にするために設けている。設定変更の履歴情報の中にはそれぞれの設定の変更回数と閾値が登録されている。考え方としては、ＬＡＮ設定は印刷装置１００を設置してから環境が変わらない限り設定を変更しない可能性が高い項目であるため、設定変更回数が低いと予想される。このような設定の閾値は低く設けておく。また、カセットの用紙設定は印刷するための用紙をセットする度に設定することになるため、設定変更回数が多いと予想される。よって、このような設定の閾値は高く設けておくとよい。閾値を大きな値に設定しておくことで、ユーザが数回の設定変更の度に機能紹介画面が表示されてしまい煩わしいと感じてしまうことを防ぐことができる。
【００６３】
また、印刷装置の修理や定期メンテナンスを行うサービスマンが操作する場合に、機能紹介画面が表示されてしまうのは適切ではない。そこで、設定変更回数のカウントを無効にするモードを設け、サービスマンが操作する場合には無効モードで操作し、設定変更回数がカウントされないようにするとよい。また、設定変更回数が既に閾値に到達している場合でも、機能紹介判定（Ｓ３０５）を開始しない構成にしてもよい。
【００６４】
また、図３では設定変更回数を機能紹介の判定開始条件（Ｓ３０４）としているが、これに限定されない。例えば、設定変更が行われた場合にカセット１０５、カセット１０６に特定のサイズ又は特定の種類の用紙が設定されていた場合を機能紹介の判定開始条件としてもよい。つまり、図３のＳ３０４において、設定変更回数を判定基準とするのではなく、特定の設定となったかを判定基準としてもよい。
【００６５】
（その他の実施形態）
上述した実施形態は、以下の処理を実行することによっても実現される。すなわち、上述した実施形態のシステム制御部の機能を実現するソフトウェア（プログラム）を、ネットワーク又は各種記憶媒体を介してシステム或いは装置に供給し、そのシステム或いは装置のコンピュータ（ＣＰＵやＭＰＵ等）がプログラムを読み出して実行する処理である。また、プログラムは１つのコンピュータで実行させても、複数のコンピュータを連動させて実行させるようにしてもよい。また、上記した処理の全てをソフトウェアで実現する必要はなく、一部又は全部をハードウェアによって実現するようにしてもよい。
【符号の説明】
【００６６】
１００  印刷装置
１０１  原稿台
１０２  原稿蓋
１０３  印刷用紙挿入口
１０４  印刷用紙排出口
１０５  カセット１
１０６  カセット２
１０７  操作表示部
１０８  ＮＦＣタッチ部
２０１  中央演算処理部（ＣＰＵ）
２０２  ＲＯＭ
２０３  ＲＡＭ
２０４  不揮発性メモリ
２０５  画像メモリ
２０６  データ変換部
２０７  読み取り制御部
２０８  操作部
２０９  読取部
２１０  表示部
２１１  符号複合化処理部
２１２  給紙部
２１３  記録部
２１４  記録制御部
２１５  ＵＳＢデバイス制御部
２１６  ＷＬＡＮユニット
２１７  ＵＳＢホスト制御部
２１８  ＮＦＣユニット
【図１】
2018086796.tif 000003
【図２】
2018086796.tif 000004
【図３】
2018086796.tif 000005
【図４】
2018086796.tif 000006
【図５】
2018086796.tif 000007
【図６】
2018086796.tif 000008
【図７】
2018086796.tif 000009
【図８】
2018086796.tif 000010
【図９】
2018086796.tif 000011
【図１０】
2018086796.tif 000012